(57)【特許請求の範囲】
【請求項１】
知人関係を結んでいるユーザ間に所定のデータを共有するソーシャルネットワークサービス（ＳＮＳ）提供方法において、
一つ以上のユーザ端末機から、音楽マッチング写真データが伝送されて、前記音楽マッチング写真データをサービス提供サーバに登録する段階と、
前記ユーザ端末機上で実行される音楽再生アプリケーションによって選択された音楽が再生される間、前記音楽再生アプリケーションによって選択されて再生中の前記音楽にマッチングした複数の前記音楽マッチング写真データが、前記ユーザ端末機で表示されるように、前記複数の音楽マッチング写真データが前記ユーザ端末機に提供される段階と、を含み、
前記ユーザ端末機に提供される音楽マッチング写真データは、
いずれか一人のユーザのユーザ端末機から伝送された音楽マッチング写真データと、
前記一ユーザと知人関係を結んでいるユーザのユーザ端末機から伝送された音楽マッチング写真データと、
前記音楽マッチング写真データのうち、推薦数が所定の回数以上であるか、または推薦数が上位所定数以内である写真データのうち一つ以上を含むことを特徴とするソーシャルネットワークサービス提供方法。
【請求項２】
ユーザ、またはそのユーザと知人関係を結んでいるユーザが推薦または登録した写真と、該写真にマッチングされる音楽についての情報とを含む一つ以上の掲示物が、前記ユーザ端末機のタイムライン上に表示されるように、前記ユーザ端末機に提供される段階をさらに含むことを特徴とする請求項１に記載のソーシャルネットワークサービス提供方法。
【請求項３】
前記音楽が再生される間、前記音楽マッチング写真データが表示される段階は、当該音楽が再生される間、前記複数枚の音楽マッチング写真データが、前記ユーザ端末機上で順次に表示されることを特徴とする請求項１に記載のソーシャルネットワークサービス提供方法。
【請求項４】
前記複数枚の音楽マッチング写真データは、推薦数順に表示されることを特徴とする請求項３に記載のソーシャルネットワークサービス提供方法。
【請求項５】
前記複数枚の写真のうち、当該ユーザ、またはそのユーザと知人関係を結んでいるユーザが推薦または登録した音楽マッチング写真データが表示されることを特徴とする請求項３に記載のソーシャルネットワークサービス提供方法。
【請求項６】
前記掲示物がタイムライン上に表示される段階は、
前記掲示物が登録された時間順に、前記タイムライン上に表示されることを特徴とする請求項２に記載のソーシャルネットワークサービス提供方法。
【請求項７】
前記ユーザ端末機からタイムライン再生信号が入力される場合、前記タイムライン上の音楽が、前記ユーザ端末機上で再生されることを特徴とする請求項２に記載のソーシャルネットワークサービス提供方法。
【請求項８】
前記ユーザ端末機上で音楽が再生される間、前記複数枚の音楽マッチング写真データのうち、当該ユーザ、またはそのユーザと知人関係を結んでいるユーザが推薦または登録した音楽マッチング写真データが表示されることを特徴とする請求項７に記載のソーシャルネットワークサービス提供方法。
【請求項９】
前記ユーザ端末機上で音楽が再生される間、表示中の写真が推薦されることを特徴とする請求項１に記載のソーシャルネットワークサービス提供方法。
【請求項１０】
前記ユーザ端末機上で音楽が再生される間、再生中の音楽にマッチングされる所定の音楽マッチング写真データを登録することを特徴とする請求項１に記載のソーシャルネットワークサービス提供方法。
【請求項１１】
前記音楽マッチング写真データは、
前記ユーザ端末機から、前記音楽マッチング写真データが直接伝送されて、前記サービス提供サーバに登録されるか、あるいは
前記ユーザ端末機から、前記音楽マッチング写真データのリンク情報が伝送され、前記音楽マッチング写真データのリンク情報、または前記音楽マッチング写真データのリンク情報を利用してダウンロードされた音楽マッチング写真データが、前記サービス提供サーバに登録されることを特徴とする請求項１０に記載のソーシャルネットワークサービス提供方法。
【請求項１２】
知人関係を結んでいるユーザ間に所定のデータを共有するソーシャルネットワークサービス提供システムにおいて、
ユーザ端末機上に再生される音楽データを提供する音楽提供部と、
ユーザ端末機から伝送される音楽マッチング写真データをデータベースに保存する写真登録部と、
前記ユーザ端末機上で実行される音楽再生アプリケーションによって選択された音楽が再生される間、前記音楽再生アプリケーションによって選択されて再生中の前記音楽にマッチングした複数の前記音楽マッチング写真データを、前記ユーザ端末機に提供する写真提供部と、を備え、
前記ユーザ端末機に提供される前記複数の前記音楽マッチング写真データは、
いずれか一人のユーザのユーザ端末機から伝送された音楽マッチング写真データと、
前記一ユーザと知人関係を結んでいるユーザのユーザ端末機から伝送された音楽マッチング写真データと、
前記音楽マッチング写真データのうち、推薦数が所定の回数以上であるか、または推薦数が上位所定数以内である音楽マッチング写真データとのうち一つ以上を含むことを特徴とするソーシャルネットワークサービス提供システム。
【請求項１３】
当該ユーザ、またはそのユーザと知人関係を結んでいるユーザが推薦または登録した前記音楽マッチング写真データと、該音楽マッチング写真データにマッチングされる音楽データとを含む一つ以上の掲示物を、前記ユーザ端末機に提供するタイムライン管理部をさらに備えることを特徴とする請求項１２に記載のソーシャルネットワークサービス提供システム。
【請求項１４】
前記写真提供部は、
一つの音楽にマッチングされる写真データが複数枚存在する場合、当該音楽が再生される間、前記複数枚の写真データが前記ユーザ端末機上で順次に表示されるように、前記一枚以上の写真を前記ユーザ端末機に提供することを特徴とする請求項１２に記載のソーシャルネットワークサービス提供システム。
【請求項１５】
前記複数枚の音楽マッチング写真データは、推薦数順に前記ユーザ端末機上で表示されることを特徴とする請求項１４に記載のソーシャルネットワークサービス提供システム。
【請求項１６】
前記複数枚の音楽マッチング写真データのうち、当該ユーザ、またはそのユーザと知人関係を結んでいるユーザが推薦または登録した音楽マッチング写真データが、前記ユーザ端末機上で表示されることを特徴とする請求項１４に記載のソーシャルネットワークサービス提供システム。
【請求項１７】
前記タイムライン管理部は、
前記一つ以上の掲示物が登録された時間順に、タイムライン上で表示されるように、前記一つ以上の掲示物を前記ユーザ端末機に提供することを特徴とする請求項１３に記載のソーシャルネットワークサービス提供システム。
【請求項１８】
前記ユーザ端末機から、タイムライン再生信号が入力される場合、タイムライン上の音楽が前記ユーザ端末機上で再生されることを特徴とする請求項１３に記載のソーシャルネットワークサービス提供システム。
【請求項１９】
前記ユーザ端末機上で音楽が再生される間、前記複数枚の写真のうち、当該ユーザ、またはそのユーザと知人関係を結んでいるユーザが推薦または登録した音楽マッチング写真データが、前記ユーザ端末機上で表示されることを特徴とする請求項１８に記載のソーシャルネットワークサービス提供システム。
【請求項２０】
前記写真登録部は、
前記ユーザ端末機から直接伝送された前記音楽マッチング写真データをデータベースに保存するか、あるいは
前記ユーザ端末機から伝送された前記音楽マッチング写真データのリンク情報をデータベースに保存するか、あるいは
前記ユーザ端末機から伝送された前記音楽マッチング写真データのリンク情報を利用して、音楽マッチング写真データをダウンロードして、それをデータベースに保存することを特徴とする請求項１２に記載のソーシャルネットワークサービス提供システム。
【請求項２１】
前記ユーザ端末機上で音楽が再生される間、表示中の音楽マッチング写真データを推薦することを特徴とする請求項１２に記載のソーシャルネットワークサービス提供システム。
【請求項２２】
前記ユーザ端末機上で音楽が再生される間、再生中の音楽にマッチングされる所定の写真データを登録することを特徴とする請求項１２に記載のソーシャルネットワークサービス提供システム。
【請求項２３】
請求項１ないし１１のうちいずれか一項に記載の方法をソーシャルネットワークサービス提供システムで実行させるプログラム。
【発明の詳細な説明】
【技術分野】
【０００１】
本発明は、ソーシャルネットワークサービス提供システム及びその方法に係り、より詳しくは、音楽及び写真に基づいたソーシャルネットワークサービス提供システム及びその方法に関する。
【背景技術】
【０００２】
インターネット及び移動通信に代表される情報通信技術は、現代人の生活パターンを変えつつある。ほとんど全ての家庭、学校及び事務室に、インターネットが可能なパーソナルコンピュータが普及し、ウェブサイトを利用した情報習得、電子商取引を利用した商品購買、電子メールを介した近況交換が行われている。数年前には、移動通信端末機を使用して、主に音声通話の移動通信サービスのみを利用する程度であった。しかし、最近では、移動通信端末機にもインターネットを利用したデータ通信サービスを提供される無線インターネットサービスが登場している。
【０００３】
一方、最近、かかる有無線インターネットサービスを利用したソーシャルネットワークサービス（ＳＮＳ）が脚光を浴びている。それは、インターネットを利用して、ユーザが人的ネットワークを形成するサービスであって、フェースブック（ｈｔｔｐ：／／ｗｗｗ．ｆａｃｅｂｏｏｋ．ｃｏｍ／）、ツイッター（ｈｔｔｐ：／／ｗｗｗ．ｔｗｉｔｔｅｒ．ｃｏｍ／）、サイワールド（ｈｔｔｐ：／／ｗｗｗ．ｃｙｗｏｒｌｄ．ｃｏｍ／）などが代表的である。なお、先行技術文献としては、特許文献１がある。
【０００４】
当該背景技術は、発明者が本発明の導出のために保有していたり、本発明の導出過程において習得した技術情報であって、必ずしも本発明の出願前に一般公衆に公開された公知の技術であるといえない。
【先行技術文献】
【特許文献】
【０００５】
【特許文献１】米国特許出願公開第２０１０／０３２５１３７号明細書
【発明の概要】
【発明が解決しようとする課題】
【０００６】
本発明の目的は、音楽及び写真に基づいたソーシャルネットワークサービス提供システム及びその方法を提供することにある。
【課題を解決するための手段】
【０００７】
本発明の一実施形態は、知人関係を結んでいるユーザ間に所定のデータを共有するソーシャルネットワークサービス提供方法において、一つ以上のユーザ端末機から、音楽マッチング写真データが伝送されて、サービス提供サーバに登録される段階を含み、サービス提供サーバに登録される音楽マッチング写真データは、いずれか一人のユーザのユーザ端末機から伝送された所定の音楽にマッチングされる写真データ、前記一ユーザと知人関係を結んでいるユーザのユーザ端末機から伝送された所定の音楽にマッチングされる写真データ、及び所定の音楽にマッチングされて登録された写真データのうち、推薦数が所定の回数以上であるか、または推薦数が上位所定数以内である写真データのうち一つ以上を含むことを特徴とするソーシャルネットワークサービス提供方法を提供する。
【０００８】
本実施形態において、ユーザ端末機上で音楽が再生される間、一つ以上の音楽マッチング写真データが、ユーザ端末機にディスプレイされるように、ユーザ端末機に提供される段階、あるいは当該ユーザ、またはそのユーザと知人関係を結んでいるユーザが推薦または登録した写真と、該写真にマッチングされる音楽についての情報とを含む一つ以上の掲示物が、ユーザ端末機のタイムライン上にディスプレイされるように、ユーザ端末機に提供される段階をさらに含む。
【０００９】
本実施形態において、音楽が再生される間、写真がディスプレイされる段階は、一つの音楽にマッチングされる写真が複数枚存在する場合、当該音楽が再生される間、複数枚の写真がユーザ端末機上で順次にディスプレイされてもよい。
【００１０】
本実施形態において、複数枚の写真は、推薦された数順にディスプレイされてもよい。
【００１１】
本実施形態において、複数枚の写真のうち、当該ユーザ、またはそのユーザと知人関係を結んでいるユーザが推薦または登録した写真がディスプレイされてもよい。
【００１２】
本実施形態において、掲示物がタイムライン上にディスプレイされる段階は、掲示物が登録された時間順に、タイムライン上でディスプレイされてもよい。
【００１３】
本実施形態において、ユーザ端末機から、タイムライン再生信号が入力される場合、タイムライン上の音楽がユーザ端末機上で再生されてもよい。
【００１４】
本実施形態において、ユーザ端末機上で音楽が再生される間、複数枚の写真のうち、当該ユーザ、またはそのユーザと知人関係を結んでいるユーザが推薦または登録した写真がディスプレイされてもよい。
【００１５】
本実施形態において、ユーザ端末機上で音楽が再生される間、ディスプレイ中の写真が推薦されてもよい。
【００１６】
本実施形態において、ユーザ端末機上で音楽が再生される間、再生中の音楽にマッチングされる所定の写真データが登録されてもよい。
【００１７】
本実施形態において、ユーザ端末機から、写真データが直接伝送されて、サービス提供サーバに登録されるか、あるいはユーザ端末機から、写真のリンク情報が伝送され、写真のリンク情報、または写真のリンク情報を利用してダウンロードされた写真データが、サービス提供サーバに登録されてもよい。
【００１８】
本発明の他の実施形態は、知人関係を結んでいるユーザ間に所定のデータを共有するソーシャルネットワークサービス提供システムにおいて、ユーザ端末機上に再生される音楽データを提供する音楽提供部と、ユーザ端末機から伝送される音楽マッチング写真データをデータベースに保存する写真登録部と、を含み、写真登録部に登録される音楽マッチング写真データは、いずれか一人のユーザのユーザ端末機から伝送された所定の音楽にマッチングされる写真データと、前記一ユーザと知人関係を結んでいるユーザのユーザ端末機から伝送された所定の音楽にマッチングされる写真データと、所定の音楽にマッチングされて登録された写真データのうち、推薦数が所定の回数以上であるか、または推薦数が上位所定等数以内である写真データとのうち一つ以上を含むことを特徴とするソーシャルネットワークサービス提供システムを提供する。
【００１９】
本実施形態において、一ユーザ、またはそのユーザと知人関係を結んでいるユーザが推薦または登録した写真データと、該写真データにマッチングされる音楽データとを含む一つ以上の掲示物を、ユーザ端末機に提供するタイムライン管理部、あるいはユーザ端末機上で音楽が再生される間、音楽マッチング写真データを、ユーザ端末機に提供する写真提供部をさらに含む。
【００２０】
本実施形態において、写真提供部は、一つの音楽にマッチングされる写真が複数枚存在する場合、当該音楽が再生される間、複数枚の写真が、ユーザ端末機上で順次にディスプレイされるように、一枚以上の写真をユーザ端末機に提供してもよい。
【００２１】
本実施形態において、複数枚の写真は、推薦数順にユーザ端末機上でディスプレイされてもよい。
【００２２】
本実施形態において、複数枚の写真のうち、当該ユーザ、またはそのユーザと知人関係を結んでいるユーザが推薦または登録した写真が、ユーザ端末機上でディスプレイされてもよい。
【００２３】
本実施形態において、タイムライン管理部は、一つ以上の掲示物が登録された時間順に、タイムライン上でディスプレイされるように、一つ以上の掲示物をユーザ端末機に提供してもよい。
【００２４】
本実施形態において、ユーザ端末機から、タイムライン再生信号が入力される場合、タイムライン上の音楽がユーザ端末機上で再生されてもよい。本実施形態において、ユーザ端末機上で音楽が再生される間、複数枚の写真のうち、当該ユーザ、またはそのユーザと知人関係を結んでいるユーザが推薦または登録した写真が、ユーザ端末機上でディスプレイされてもよい。
【００２５】
本実施形態において、写真登録部は、ユーザ端末機から直接伝送された写真データをデータベースに保存するか、あるいはユーザ端末機から伝送された写真のリンク情報をデータベースに保存するか、あるいはユーザ端末機から伝送された写真のリンク情報を利用して、写真データをダウンロードして、それをデータベースに保存する。
【００２６】
本実施形態において、ユーザ端末機上で音楽が再生される間、ディスプレイ中の写真が推薦されてもよい。
【００２７】
本実施形態において、ユーザ端末機上で音楽が再生される間、再生中の音楽にマッチングされる所定の写真データを登録してもよい。前述した以外の他の側面、特徴及び利点が、以下の図面、特許請求の範囲及び発明の詳細な説明から明確になる。
【００２８】
かかる一般的かつ具体的な側面が、システム、方法、コンピュータプログラム、またはいかなるシステム、方法及びコンピュータプログラムの組み合わせを使用しても実施される。
【発明の効果】
【００２９】
本発明に係る音楽及び写真に基づいたソーシャルネットワークサービス提供システム及びその方法によって、ユーザのニーズに符合するソーシャルネットワークサービスが提供される。
【図面の簡単な説明】
【００３０】
【図１】本発明の一実施形態によるソーシャルネットワークサービス提供システムの構成を示す図面である。
【図２】図１のサービス提供サーバの内部構成を示すブロック図である。
【図３】本発明の一実施形態によるソーシャルネットワークサービス提供システムが提供するホーム画面が、ユーザ端末機上にディスプレイされた状態を示す図面である。
【図４】本発明の一実施形態によるソーシャルネットワークサービス提供システムが提供する音楽再生画面が、ユーザ端末機上にディスプレイされた状態を示す図面である。
【図５】本発明の一実施形態によるソーシャルネットワークサービス提供システムが提供するタイムライン画面が、ユーザ端末機上にディスプレイされた状態を示す図面である。
【図６】本発明の一実施形態によるソーシャルネットワークサービスの順序を示すフローチャートである。
【発明を実施するための形態】
【００３１】
本発明は、多様な変換を加えることができ、色々な実施形態を有するところ、特定の実施形態について、図面に例示し、詳細な説明で詳細に説明する。本発明の効果及び特徴、並びにそれらを達成する方法は、図面と共に詳細に説明する実施形態を参照すれば明確になるであろう。しかし、本発明は、以下で開示される実施形態に限定されるものではなく、多様な形態で具現されもする。以下の実施形態において、第１、第２のような用語は、限定的な意味ではなく、一つの構成要素を他の構成要素と区別する目的として使われた。また、単数の表現は、文脈上明白に取り立てて意味しない限り、複数の表現を含む。また、「含む」または「有する」などの用語は、明細書上に記載された特徴または構成要素が存在するということを意味するものであり、一つ以上の他の特徴または構成要素が付加される可能性を予め排除するものではない。また、図面では、説明の便宜上、構成要素のサイズが誇張または縮小される。例えば、図面で示された各構成のサイズ及び厚さは、説明の便宜上、任意に示されており、本発明が必ずしも図示されたところに限定されるものではない。
【００３２】
以下、添付された図面を参照して、本発明の実施形態について詳細に説明するが、図面を参照して説明する時、同一または対応する構成要素は、同一な図面符号を付し、それについての重複説明は省略する。
【００３３】
図１は、本発明の一実施形態によるソーシャルネットワークサービス（Ｓｏｃｉａｌ  Ｎｅｔｗｏｒｋ  Ｓｅｒｖｉｃｅ：  ＳＮＳ）提供システムの構成を示す図面である。
【００３４】
図１を参照すれば、本発明の一実施形態によるソーシャルネットワークサービス提供システムは、複数個のユーザ端末機２００、前記ユーザ端末機２００から、所定の音楽にマッチングされる写真が伝送されて登録し、ユーザ端末機２００上で音楽が再生される間、前記音楽にマッチングされて登録された一枚以上の写真を、ユーザ端末機２００に提供し、ユーザ端末機２００のタイムライン上に、ユーザ及びその知人が写真を推薦または登録した所定の音楽についての情報と、推薦または登録した写真とを含む一つ以上の掲示物を提供するサービス提供サーバ１００、及び前記複数個のユーザ端末機２００と、前記サービス提供サーバ１００とを連結する通信網４００を含む。
【００３５】
まず、本発明において提供されるソーシャルネットワークサービス（ＳＮＳ）について説明する。インターネット上で、友達、先輩・後輩、同僚などの知人との人脈関係を強化させ、また新たな人脈を作り、幅広い人的ネットワーク（人間関係）を形成させるサービスを“ソーシャルネットワークサービス”という。それは、インターネットで個人の情報を共有し、コミュニケーションの助けとなる１人メディア、１人コミュニティであるといえる。
【００３６】
個人の表現欲求が強くなりつつ、個人間の社会的関係を結ばせ、親しい関係を維持させるソーシャルネットワークサービスも次第に発達している。ウェブ上のカフェ、同好会などのコミュニティサービスが、特定の主題に関心を持った集団がグループ化し、閉鎖的なサービスを共有するのに対し、ソーシャルネットワークサービスは、個人自身、すなわち、個人が中心になって自身の関心事と個性とを共有するという点で異なる。
【００３７】
初期には、ＳＮＳは、主に、親睦を図り、エンターテイメント用途に活用されたが、以後、ビジネス、各種情報共有など生産的用途に活用する傾向が生じた。また、インターネット検索よりも、ソーシャルネットワークサービスを介して最新情報を見つけ、それを活用する人々も多い。ほとんどが知り合いの知り合いとして連結されている特性上、一般検索を介して見つける情報よりも、友達の推薦によって共有する情報が、信頼性が高く、かつ簡潔に伝達されるためである。
【００３８】
かかるソーシャルネットワークサービスの場合、ユーザは、自身のタイムラインに近況または関心事などについてのテキストをアップロードしたり、自身が好きな音楽のリンクを共有したり、自身と関連のある、または自身が好きな写真をアップロードするなどの方式によって、知人と情報を共有した。
【００３９】
一方、総合ポータルサイトまたは音楽ポータルサイトは、ユーザが音楽を鑑賞可能な多様な形態の音楽再生アプリケーションを提供した。当該音楽再生アプリケーションでは、音楽鑑賞機能だけでなく、当該曲についての情報、当該曲が含まれたアルバムのジャケット写真などがさらに提供され、ユーザは、音楽を鑑賞しつつ、ジャケット写真を鑑賞することができた。
【００４０】
しかし、かかる従来のソーシャルネットワークサービスの場合、音楽を、それとマッチングされる写真と共に共有する機能が提供されず、従来の音楽再生アプリケーションの場合、ユーザは、音楽を鑑賞しつつ、ジャケット写真を見るだけであり、その他の写真は鑑賞できないという問題点が存在した。
【００４１】
かかる問題点を解決するために、本発明の一実施形態によるソーシャルネットワークサービス提供システムは、ユーザが音楽を鑑賞しつつ、それとマッチングされる写真をアップロードし、またユーザは音楽を鑑賞しつつ、他のユーザがアップロードした写真を鑑賞し、ユーザ端末機のタイムライン上には、自身及びその知人がアップロードした音楽と、それに対応する写真とがディスプレイされる、音楽及び写真に基づいたソーシャルネットワークサービス提供システム及びその方法を提供することを一特徴とするところ、それについては、図２以下で詳細に説明する。
【００４２】
再び図１を参照すれば、複数個のユーザ端末機２００は、有線または無線通信環境においてウェブサービス利用可能な通信端末機を意味する。ここで、ユーザ端末機２００は、ユーザのパーソナルコンピュータ（ＰＣ）２０１であっても、ユーザの携帯用端末機２０２であってもよい。図１では、携帯用端末機２０２がスマートフォンとして示されているが、本発明の思想は、それに制限されるものではなく、前述のように、ウェブブラウジングが可能なアプリケーションを搭載した端末であれば制限なしに使われる。
【００４３】
一方、通信網４００は、複数個のユーザ端末機２００と、サービス提供サーバ１００とを連結する役割を行う。すなわち、通信網４００は、ユーザ端末機２００がサービス提供サーバ１００に接続した後、パケットデータを送受信するように、接続経路を提供する通信網を意味する。
【００４４】
一方、サービス提供サーバ１００は、ユーザ端末機２００から、所定の音楽にマッチングされる写真が伝送されて、伝送された写真を登録し、ユーザ端末機２００上で音楽が再生される間、前記音楽にマッチングされて登録された一枚以上の写真を、ユーザ端末機２００に提供し、ユーザ端末機２００のタイムライン上に、所定の音楽についての情報と、当該音楽にマッチングされて登録または推薦された一枚以上の写真とを提供する。
【００４５】
図２は、図１のサービス提供サーバの内部構成を示すブロック図である。
【００４６】
図２を参照すれば、本発明の一実施形態によるソーシャルネットワークサービス提供システムのサービス提供サーバ１００は、インターフェース部１１０、音楽提供部１２０、写真登録部１３０、タイムライン管理部１４０、写真提供部１５０及びデータベース（ＤＢ）１６０を含む。
【００４７】
より詳しくは、インターフェース部１１０は、通信網４００と連動して、サービス提供サーバ１００とユーザ端末機２００との間の送受信信号を、パケットデータの形態で提供するのに必要な通信インターフェースを提供する。
【００４８】
音楽提供部１２０は、ユーザ端末機２００上で実行される音楽再生アプリケーションに、データベース１６０の音楽データベース１６１に保存された音楽データを提供する役割を行う。すなわち、音楽提供部１２０は、音源データと、音楽に関連した情報データ（タイトル、歌手名、収録アルバム情報、アルバムジャケット写真データなど）とを、ユーザ端末機２００に提供する。当該音源データまたは音楽に関連した情報データは、ユーザ端末機２００上で音楽が再生される度に、ユーザ端末機２００に提供されるか、あるいは一旦ユーザ端末機２００にダウンロードされて保存され、以後にはユーザ端末機２００に保存された音楽データが音楽の再生に使われる。前記音楽提供部１２０は、既存の音楽ポータルサイトなどで提供する音楽再生アプリケーションに音楽を提供する音楽提供部と類似したところ、本明細書では、その詳細な説明は省略する。
【００４９】
写真登録部１３０は、ユーザ端末機２００から送信される所定の音楽にマッチングされる写真データ、すなわち、音楽マッチング写真データを受信して、データベース１６０に保存する役割を行う。そのとき、ユーザ端末機２００から、写真データが直接伝送されて保存されるか、あるいは写真のリンク情報などの情報が伝送され、当該写真のリンク情報が保存されるか、あるいは伝送された写真のリンク情報を利用して、写真登録部１３０から写真をダウンロードして、それをデータベース１６０に保存する。
【００５０】
より詳しくは、写真登録部１３０は、データベース１６０の写真データベース１６２に写真を保存し、そのとき、当該写真が、音楽データベース１６１に保存されたどの音楽データにマッチングされる写真であるのかが共に保存される。併せて、写真をアップロードしたユーザの情報は、データベース１６０のユーザデータベース１６３に保存されている。
【００５１】
ここで、前記写真登録部に登録される音楽マッチング写真データは、いずれか一人のユーザが伝送した所定の音楽にマッチングされる写真データであってもよく、該ユーザと知人関係を結んでいるユーザが伝送した所定の音楽にマッチングされる写真データであってもよく、所定の音楽にマッチングされて登録された複数枚の写真データのうち、推薦された数（推薦数）が所定の回数以上であるか、または推薦数が上位所定数以内である写真データ、すなわち、人気のある写真についての写真データであってもよい。
【００５２】
タイムライン管理部１４０は、所定の音楽についての情報と、当該音楽にマッチングされて登録または推薦された一枚以上の写真とを含む一つ以上の掲示物が、ユーザ端末機２００のタイムライン上にディスプレイされるように、それをユーザ端末機２００に提供する役割を行う。そのとき、タイムライン管理部１４０は、当該ユーザ、またはそのユーザと知人関係を結んでいるユーザが推薦または登録した写真と、該写真にマッチングされる音楽についての情報とを含む掲示物が、ユーザ端末機２００のタイムライン上にディスプレイされるように提供する。その時、タイムライン管理部１４０は、掲示物が登録された時間順に、写真及びそれとマッチングされる音楽についての情報を、ユーザ端末機２００のタイムライン上にディスプレイさせてもよい。
【００５３】
写真提供部１５０は、ユーザ端末機２００上で実行される音楽再生アプリケーションで音楽が再生されるとき、ユーザ端末機２００上でディスプレイされる一枚以上の写真を、ユーザ端末機２００に提供する役割を行う。そのとき、写真提供部１５０は、再生中の音楽にマッチングされて登録された複数枚の写真が、推薦数順にユーザ端末機２００上でディスプレイされるように、ユーザ端末機２００に写真を提供する。または、当該ユーザ、またはそのユーザと知人関係を結んでいるユーザが登録した写真のみが、ユーザ端末機２００上でディスプレイされるように、ユーザ端末機２００に写真を提供する。または、従来のように、当該曲が含まれたアルバムのジャケット写真のみをユーザ端末機２００に提供することもできる。
【００５４】
データベース１６０は、音楽データベース１６１と、写真データベース１６２と、ユーザデータベース１６３とを含む。
【００５５】
音楽データベース１６１は、音源データと、音楽に関連した情報データ（タイトル、歌手名、収録アルバム情報、アルバムジャケット写真データなど）とを保存する。
【００５６】
写真データベース１６２は、ユーザがアップロードした写真を保存し、そのとき、当該写真が、音楽データベース１６１に保存されたどの音楽データにマッチングされる写真であるのかが共に保存される。併せて、写真をアップロードしたユーザについての識別情報（例えば、ＩＤなど）が共に保存される。
【００５７】
ユーザデータベース１６３は、ソーシャルネットワークサービスを利用するユーザについてのユーザ情報を保存している。ここで、ユーザ情報には、ユーザの氏名、所属、人的事項などのユーザについての基本的な情報と、ＩＤ及びパスワード（ＰＷ）などのログインについての情報とが含まれる。
【００５８】
また、図示していないが、本発明の一実施形態によるサービス提供サーバ１００は、メモリと、入出力部と、プログラム保存部と、制御部とをさらに含む。
【００５９】
メモリは、音楽提供部１２０、写真登録部１３０、タイムライン管理部１４０、写真提供部１５０などが処理するデータを臨時に保存したり、ユーザ端末機２００にソーシャルネットワークサービスを提供する過程において生成されたデータを臨時に保存する機能を行う。一方、入出力部は、キー入力による処理現況だけでなく、ソーシャルネットワークサービスの提供についての処理現況などをディスプレイする。
【００６０】
プログラム保存部は、ソーシャルネットワークサービスを提供されるユーザ端末機２００に対して、サービス加入手続きを行い、加入手続きを終えたユーザ情報を、ユーザデータベース１６３に保存する作業、ユーザ認証を要請するユーザ端末機２００から送信される加入者情報を受信し、受信した加入者情報が、ユーザデータベース１６３に保存された認証情報と互いに一致しているか否かを把握する作業、ユーザ端末機２００から、所定の音楽にマッチングされる写真を伝送されて登録する作業、ユーザ端末機２００上で音楽が再生される間、前記音楽にマッチングされて登録された一枚以上の写真を、ユーザ端末機２００に提供する作業、ユーザ端末機２００のタイムライン上に、当該ユーザ、またはそのユーザと知人関係を結んでいるユーザが推薦または登録した写真と、該写真にマッチングされる音楽についての情報とを含む掲示物を提供する作業などを含む多様なソーシャルネットワークサービスを提供する作業を遂行する制御ソフトウェアを搭載している。
【００６１】
制御部は、一種の中央処理装置であって、サービス提供サーバ１００からユーザ端末機２００にソーシャルネットワークサービスを提供する全体過程を制御する。すなわち、制御部は、プログラム保存部に搭載された制御ソフトウェアを駆動し、駆動された制御ソフトウェアによって、ユーザ端末機上に音楽再生アプリケーションが駆動されつつ、再生中の音楽にマッチングされる写真がディスプレイされ、当該ユーザまたはそのユーザの知人がアップロードした掲示物が、タイムライン上にディスプレイされる機能を提供するなどの多様なソーシャルネットワークサービスを提供する。
【００６２】
かかる本発明の一実施形態によって、再生中の音楽に対して、多様な写真がディスプレイされ、したがって、音楽を鑑賞するユーザに多様な楽しみを与えることができる。また、知人または同一な音楽を鑑賞する他人と、当該音楽にマッチングされる写真及びそれについてのコメントを共有することによって、ユーザのニーズに符合するソーシャルネットワークサービスを提供して、ソーシャルネットワークサービスがさらに活性化されるという効果が得られる。
【００６３】
図３は、本発明の一実施形態によるソーシャルネットワークサービス提供システムが提供するホーム画面が、ユーザ端末機上にディスプレイされた状態を示す図面である。図３を参照すれば、本発明の一実施形態によるソーシャルネットワークサービス提供システムが提供するホーム画面５００上には、人気音楽提供部５１０、推薦音楽提供部５２０、音楽検索ボタン５３０及びタイムライン連結ボタン５４０が提供される。
【００６４】
人気音楽提供部５１０は、ユーザに人気のある音楽についての情報を提供する。すなわち、一つ以上の人気音楽のタイトル、歌手名、アルバムジャケット写真などを提供する。図３には、四つの人気音楽のタイトル、歌手名、アルバムジャケット写真についての情報が提供されるように示されているが、提供される人気音楽の個数、画面上での配置、提供される情報の種類などは、ホーム画面５００の画面構成によって多様に変更可能である。一方、人気音楽提供部５１０に提供される音楽についての情報をクリックまたはタッチすれば、当該音楽を再生する音楽再生画面（図４参照）に移動する。
【００６５】
推薦音楽提供部５２０は、ユーザまたは運用者が推薦した音楽についての情報を提供する。すなわち、一つ以上の推薦音楽のタイトル、歌手名、アルバムジャケット写真などを提供する。図３には、三つの推薦音楽のタイトル及び歌手名が提供されるように示されているが、提供される推薦音楽の個数、画面上での配置、提供される情報の種類などは、ホーム画面５００の画面構成によって多様に変更可能である。一方、推薦音楽提供部５２０に提供される音楽についての情報をクリックまたはタッチすれば、当該音楽を再生する音楽再生画面（図４参照）に移動する。
【００６６】
音楽検索ボタン５３０は、音楽検索画面（図示せず）への移動機能を提供する。ユーザは、音楽検索画面（図示せず）で再生を所望する音楽を検索し、それを選択すれば、当該音楽を再生する音楽再生画面（図４参照）に移動する。
【００６７】
タイムライン連結ボタン５４０は、タイムライン画面（図５参照）への移動機能を提供する。ユーザは、タイムライン連結ボタン５４０をクリックまたはタッチして、当該ユーザ、またはそのユーザと知人関係を結んでいるユーザが推薦または登録した写真と、該写真にマッチングされる音楽についての情報とを含む掲示物がディスプレイされるタイムライン画面に移動する。
【００６８】
図４は、本発明の一実施形態によるソーシャルネットワークサービス提供システムが提供する音楽再生画面が、ユーザ端末機上にディスプレイされた状態を示す図面である。図４を参照すれば、本発明の一実施形態によるソーシャルネットワークサービス提供システムが提供する音楽再生画面６００上には、写真表示部６１０、再生制御部６３０、音楽検索ボタン６４０、及びタイムライン連結ボタン６５０が提供される。
【００６９】
写真表示部６１０は、現在再生中の音楽にマッチングされる一枚以上の写真をディスプレイする役割を行う。そのとき、写真表示部６１０には、再生中の音楽にマッチングされて登録された複数枚の写真が推薦数順にディスプレイされる（人気フォトモード）。あるいは、再生中の音楽にマッチングされて登録された複数枚の写真のうち、当該ユーザ、またはそのユーザと知人関係を結んでいるユーザが登録または推薦した写真のみがディスプレイされてもよい（ソーシャルフォトモード）。あるいは、従来のように、当該音楽が含まれたアルバムのジャケット写真のみがディスプレイされてもよい（アルバムモード）。
【００７０】
ここで、写真表示部６１０に複数枚の写真が一定の時間ごとに自動的にスライドされつつ順次にディスプレイされてもよい。そのとき、ユーザは、スライド時間間隔を任意に設定することもできる。あるいは、画面を左右にめくるフリッキング方式により、複数枚の写真を順次に鑑賞することもできる。
【００７１】
写真表示部６１０の一側には、推薦ボタン６２１、写真アップロードボタン６２３及び推薦数表示部６２５が提供される。
【００７２】
推薦ボタン６２１は、ディスプレイされている写真についての推薦機能を提供する。ユーザが推薦ボタン６２１をクリックまたはタッチすれば、当該写真についての推薦数が増加すると共に、当該ユーザのタイムライン及びそのユーザの知人のタイムライン上に、当該写真及びそれにマッチングされる音楽の情報を含む掲示物がディスプレイされる。
【００７３】
写真アップロードボタン６２３は、現在再生されている音楽にマッチングされる写真を、ユーザがサービス提供サーバ１００に登録する機能を提供する。ユーザが写真アップロードボタン６２３を選択して、写真をアップロードすれば、サービス提供サーバ１００の写真データベース１６２に写真が保存される。そのとき、ユーザ端末機２００に保存された写真データが、サービス提供サーバ１００へ直接伝送されて保存されてもよい。あるいは、ユーザ端末機２００から、写真のリンク情報などの情報がサービス提供サーバ１００へ伝送され、当該写真のリンク情報がサービス提供サーバ１００に保存されるか、あるいは伝送された写真のリンク情報を利用して、サービス提供サーバ１００の写真登録部１３０から写真をダウンロードして、それをデータベース１６０に保存する。そのとき、当該写真が、音楽データベース１６１に保存されたどの音楽データにマッチングされる写真であるのかが共に保存される。併せて、写真をアップロードしたユーザの情報は、データベース１６０のユーザデータベース１６３に保存されている。このように写真がアップロードされれば、当該ユーザのタイムライン及びそのユーザの知人のタイムライン上に、当該写真及びそれにマッチングされる音楽の情報を含む掲示物がディスプレイされる。
【００７４】
推薦数表示部６２５は、現在ディスプレイされている写真についての推薦数を表示する機能を提供する。
【００７５】
再生制御部６３０は、再生／停止ボタン、送りボタン、戻りボタンなどを含み、音楽に対する再生、停止、移動などを制御する役割を行う。当該再生制御部６３０は、既存の音楽再生アプリケーションと類似しているため、本明細書では、その詳細な説明は省略する。
【００７６】
音楽検索ボタン６４０は、音楽検索画面（図示せず）への移動機能を提供する。ユーザは、音楽検索画面（図示せず）で再生を所望する音楽を検索し、それを選択すれば、当該音楽を再生する音楽再生画面（図４参照）に移動する。
【００７７】
タイムライン連結ボタン６５０は、タイムライン画面（図５参照）への移動機能を提供する。ユーザは、タイムライン連結ボタン６５０をクリックまたはタッチして、ユーザまたはその知人が推薦または登録した写真と、それにマッチングされる音楽の情報とを含む掲示物がディスプレイされるタイムライン画面に移動する。
【００７８】
図５は、本発明の一実施形態によるソーシャルネットワークサービス提供システムが提供するタイムライン画面が、ユーザ端末機上にディスプレイされた状態を示す図面である。図５を参照すれば、本発明の一実施形態によるソーシャルネットワークサービス提供システムが提供するタイムライン（ＴＩＭＥ  ＬＩＮＥ）画面７００上には、ユーザまたはその知人が推薦または登録した写真と、それにマッチングされる音楽の情報とを含む掲示物がディスプレイされる一つ以上の掲示物表示部７１０，７２０、タイムライン再生ボタン７３０、及び音楽検索ボタン７４０が提供される。
【００７９】
そして、それぞれの掲示物表示部７１０，７２０は、作成情報表示部７１１、写真表示部７１２、再生制御部７１３、音楽情報表示部７１４、推薦ボタン７１５、コメント書き込みボタン７１６、推薦数表示部７１７及びコメント数表示部７１８を含む。
【００８０】
作成情報表示部７１１には、当該掲示物の作成者、作成時間などがディスプレイされる。写真表示部７１２には、ユーザまたはその知人が推薦または登録した写真がディスプレイされる。再生制御部７１３は、再生／停止ボタン、送りボタン、戻りボタンなどを含み、音楽に対する再生、停止、移動などを制御する役割を行う。音楽情報表示部７１４には、当該音楽のタイトル（ＳＯＮＧ）、歌手名（ＳＩＮＧＥＲ）などの情報がディスプレイされる。
【００８１】
推薦ボタン７１５は、ディスプレイされている写真についての推薦機能を提供する。ユーザが推薦ボタン７１５をクリックまたはタッチすれば、当該写真についての推薦数が増加すると共に、当該ユーザの知人のタイムライン上に、写真及びそれにマッチングされる音楽についての情報を含む掲示物がディスプレイされる。推薦数表示部７１７は、当該掲示物についての推薦数を表示する機能を提供する。
【００８２】
コメント書き込みボタン７１６は、当該掲示物に対して、ユーザが所定のコメントを残す機能を提供し、コメント数表示部７１８は、当該掲示物に対して作成されたコメント数を表示する機能を提供する。当該コメント書き込みボタン７１６、コメント数表示部７１８などは、既存のＳＮＳサービスと類似しているため、本明細書では、その詳細な説明は省略する。
【００８３】
一方、タイムライン画面７００上には、一つ以上の掲示物がディスプレイされ、当該掲示物は、登録された時間順にディスプレイされる。当該掲示物は、画面を上下に押して移動しつつ読み込むか、あるいは掲示物単位に表示されて、画面を上下または左右にめくるフリッキング方式により、複数個の掲示物を順次に鑑賞する。タイムライン再生ボタン７３０は、ユーザのタイムライン上に掲示された掲示物の音楽のための所定のプレイリストを生成し、そのリストの音楽順次に再生する機能を行う。そのとき、図示していないが、タイムライン上に掲示された一つ以上の掲示物についてのフィルタリング機能が提供され、ユーザはプレイリストについての編集が可能である。
【００８４】
音楽検索ボタン７４０は、音楽検索画面（図示せず）への移動機能を提供する。ユーザは、音楽検索画面（図示せず）で再生を所望する音楽を検索し、それを選択すれば、当該音楽を再生する音楽再生画面（図４参照）に移動する。
【００８５】
ここで、上述のような写真の登録及び確認の過程は、単一のアプリケーション上で遂行することもでき、あるいは別途のアプリケーション（例えば、写真登録アプリケーション、音楽再生アプリケーション、タイムラインアプリケーションなど）上でそれぞれ個別的に遂行することもできる。
【００８６】
図６は、本発明の一実施形態によるソーシャルネットワークサービスの順序を示すフローチャートである。図６を参照すれば、本発明の一実施形態によるソーシャルネットワークサービス提供方法は、ユーザ端末機から、所定の音楽にマッチングされる写真データが伝送されて、サービス提供サーバに登録される段階（段階Ｓ１１０）、前記ユーザ端末機上で音楽が再生される間、前記音楽にマッチングされて登録された一枚以上の写真が、前記ユーザ端末機でディスプレイされるように、前記ユーザ端末機に提供される段階（段階Ｓ１２０）、及び当該ユーザ、またはそのユーザと知人関係を結んでいるユーザが推薦または登録した写真と、該写真にマッチングされる音楽についての情報とを含む一つ以上の掲示物が、前記ユーザ端末機のタイムライン上にディスプレイされるように、前記ユーザ端末機に提供される段階（段階Ｓ１３０）を含む。それらをさらに詳細に説明すれば、次の通りである。
【００８７】
まず、ユーザ端末機２００から、所定の音楽にマッチングされる写真データが伝送されて、所定の音楽にマッチングされる写真データはサービス提供サーバに登録される（段階Ｓ１１０）。すなわち、ユーザは、図４に示した音楽再生画面上で音楽を鑑賞していて、写真アップロードボタン６２３を選択して、再生中の音楽とマッチングされる写真を、サービス提供サーバに登録する。ユーザが写真アップロードボタン６２３を選択して、写真をアップロードすれば、サービス提供サーバ１００の写真データベース１６２に写真が保存される。そのとき、ユーザ端末機２００に保存された写真データが、サービス提供サーバ１００へ直接伝送されて保存されてもよい。あるいは、ユーザ端末機２００から、写真のリンク情報がサービス提供サーバ１００へ伝送され、当該写真のリンク情報が保存されるか、あるいは伝送された写真のリンク情報を利用して、サービス提供サーバ１００の写真登録部１３０から写真をダウンロードして、それをデータベース１６０に保存する。そのとき、当該写真が、音楽データベース１６１に保存されたどの音楽データにマッチングされる写真であるかが共に保存され、写真をアップロードしたユーザの情報は、データベース１６０のユーザデータベース１６３に保存される。
【００８８】
次に、前記ユーザ端末機上で音楽が再生される間、前記音楽にマッチングされて登録された一枚以上の写真が、前記ユーザ端末機でディスプレイされるように、前記ユーザ端末機に提供される（段階Ｓ１２０）。すなわち、ユーザは、図４に示した音楽再生画面上で音楽を鑑賞し、その時、写真表示部６１０には、現在再生中の音楽にマッチングされる一枚以上の写真がディスプレイされる。ここで、写真表示部６１０には、再生中の音楽にマッチングされて登録された複数枚の写真が推薦数順にディスプレイされる（人気フォトモード）。あるいは、再生中の音楽にマッチングされて登録された複数枚の写真のうち、当該ユーザ、またはそのユーザと知人関係を結んでいるユーザが登録または推薦した写真のみがディスプレイされてもよい（ソーシャルフォトモード）。あるいは、従来のように、当該音楽が含まれたアルバムジャケット写真のみがディスプレイされてもよい（アルバムモード）。
【００８９】
ここで、写真表示部６１０には、複数枚の写真が一定の時間ごとに自動的にスライドされつつ順次にディスプレイされてもよい。そのとき、ユーザは、前記スライド時間間隔を任意に設定することもできる。あるいは、画面を左右にめくるフリッキング方式により、複数枚の写真を順次に鑑賞することもできる。
【００９０】
次に、当該ユーザ、またはそのユーザと知人関係を結んでいるユーザが推薦または登録した写真と、該写真にマッチングされる音楽についての情報とを含む一つ以上の掲示物が、前記ユーザ端末機のタイムライン上にディスプレイされるように、前記ユーザ端末機に提供される（段階Ｓ１３０）。すなわち、図５に示したタイムライン画面上には、ユーザまたはその知人が推薦または登録した写真と、それにマッチングされる音楽の情報とを含む掲示物がディスプレイされる。
【００９１】
その時、タイムライン画面７００上には、一つ以上の掲示物がディスプレイされ、当該掲示物は、登録された時間順にディスプレイされる。当該掲示物は、画面を上下に押して移動しつつ読み込むか、あるいは掲示物単位に表示されて、画面を上下または左右にめくるフリッキング方式により、複数個の掲示物を順次に鑑賞する。
【００９２】
一方、タイムライン画面７００上に提供されるタイムライン再生ボタン７３０は、ユーザのタイムライン上に掲示された掲示物の音楽のための所定のプレイリストを生成し、所定のプレイリストの音楽を順次に再生する機能を提供する。その時、タイムライン上に掲示された一つ以上の掲示物についてのフィルタリング機能が提供され、プレイリストについての編集が可能である。
【００９３】
かかる本発明の一実施形態によって、再生中の音楽に対して、多様な写真がディスプレイされ、したがって、音楽を鑑賞するユーザに多様な楽しみを与えることができる。また、知人または同一な音楽を鑑賞する他人と、当該音楽にマッチングされる写真及びそれについてのコメントを共有することによって、ユーザのニーズに符合するソーシャルネットワークサービスを提供して、サービスがさらに活性化されるという効果が得られる。
【００９４】
以上、本発明は、図面に示した一実施形態を参照して説明したが、それらは、例示的なものに過ぎず、当業者ならば、それらから多様な変形及び実施形態の変形が可能であるという点を理解できるであろう。したがって、本発明の真の技術的保護範囲は、特許請求の範囲の技術的思想により決まらなければならない。
【産業上の利用可能性】
【００９５】
本発明は、例えば、コミュニケーション構築関連の技術分野に適用可能である。
【符号の説明】
【００９６】
１００    サービス提供サーバ
１１０    インターフェース部
１２０    音楽提供部
１３０    写真登録部
１４０    タイムライン管理部
１５０    写真提供部
１６０    データベース
１６１    音楽データベース
１６２    写真データベース
１６３    ユーザデータベース
２００    ユーザ端末機
２０１    パーソナルコンピュータ
２０２    携帯用端末機
４００    通信網
【図１】
0005985560.tif 000002
【図２】
0005985560.tif 000003
【図３】
0005985560.tif 000004
【図４】
0005985560.tif 000005
【図５】
0005985560.tif 000006
【図６】
0005985560.tif 000007